(57)【要約】【課題】機密情報が画像形成された画像形成媒体の持出し制限を可能にする画像形成装置、画像形成媒体、機密管理システム、画像形成方法、およびそのプログラムを提供する。【解決手段】プリンタ装置１は、印刷用紙４２上の機密情報が形成された機密情報表示領域４２０に、認証データを記録したＩＣチップ３を配置する。持出し検知ゲート７００は、印刷用紙４２に付されたＩＣチップ３から認証データを受信し、受信された認証データに基づいて、印刷用紙４２に機密情報が印刷されているか否かを判定し、機密情報が印刷されていると判定した場合に警告を発する。ＩＣチップ３は、機密情報が印刷された領域に付されているため、ＩＣチップ３を切り離して機密情報の印刷部分だけが持ち出されることを防止できる。【選択図】          図１
2004284175.tif 000002
【特許請求の範囲】
【請求項１】
アクセス権が設定された機密部分を含む文書ファイルの画像形成装置であって、
画像形成媒体上に画像を形成する像形成手段と、
前記像形成手段により文書ファイルの機密部分が形成されるべき領域に、認証データを配置する配置手段と
を有する、アクセス権が設定された機密部分を含む文書ファイルの画像形成装置。
【請求項２】
前記配置手段は、前記像形成手段により文書ファイルの機密部分が形成されるべき領域に、前記認証データを提供するデータ提供手段を配置する
請求項１に記載の、アクセス権が設定された機密部分を含む文書ファイルの画像形成装置。
【請求項３】
前記認証データ提供手段は、半導体メモリを有する
請求項２に記載の、アクセス権が設定された機密部分を含む文書ファイルの画像形成装置。
【請求項４】
前記認証データ提供手段は、磁気データを記録する磁性データ記録手段を有する
請求項２に記載の、アクセス権が設定された機密部分を含む文書ファイルの画像形成装置。
【請求項５】
前記配置手段は、機密部分に含まれる文字画像または図形画像と重なる位置に、認証データを配置する
請求項１〜４のいずれかに記載の画像形成装置。
【請求項６】
アクセス権が設定された機密部分を示す機密画像と、
認証データを非接触で提供する少なくとも１つのデータ提供手段と
を有し、
少なくとも１つの前記データ提供手段が、機密画像が形成された領域に配置されてなる
画像形成媒体。
【請求項７】
前記データ提供手段は、半導体メモリを有する
請求項６に記載の画像形成媒体。
【請求項８】
前記データ提供手段は、磁気データを記録する磁性データ記録手段を有する
請求項６に記載の画像形成媒体。
【請求項９】
少なくとも１つの前記データ提供装置が、前記機密画像に含まれる文字画像または図形画像と重畳する位置に配置されてなる
請求項６〜８のいずれかに記載の画像形成媒体。
【請求項１０】
機密情報が形成された画像形成媒体と、この画像形成媒体を検知する検知装置とを含む機密管理システムであって、
前記画像形成媒体は、
機密情報が形成された領域に、認証データを提供する少なくとも１つのデータ提供手段
を有し、
前記検知装置は、
前記データ提供手段から、認証データを受信する受信手段と、
前記受信手段により受信された認証データに基づいて、画像形成媒体に機密情報が形成されているか否かを判定する判定手段と
を有する
機密管理システム。
【請求項１１】
アクセス権が設定された機密部分を含む文書ファイルの画像形成方法であって、
画像形成媒体上に文書ファイルの画像を形成し、
文書ファイルの機密部分が形成されるべき領域に、認証データを配置する、
アクセス権が設定された機密部分を含む文書ファイルの画像形成方法。
【請求項１２】
コンピュータを含む、アクセス権が設定された機密部分を含む文書ファイルの画像形成装置において、
画像形成媒体上に文書ファイルの画像を形成するステップと、
文書ファイルの機密部分が形成されるべき領域に、認証データを配置するステップと
を前記画像形成装置のコンピュータに実行させるプログラム。
【発明の詳細な説明】
【０００１】
【発明の属する技術分野】
本発明は、アクセス権が設定された機密部分を含む文書ファイルの画像形成装置、画像形成媒体、機密管理システム、画像形成方法、およびそのプログラムに関する。
【０００２】
【従来の技術】
複数の閲覧者が文書ファイルを共有し共同で編集作業を行う場合など、文書ファイルに含まれる一部に対してアクセス権を設定したいという要望があった。このような要望に対し、アクセス権に応じて文書ファイルの一部（以下、機密部分）に対しマスキング処理を行いアクセス制限を行う方法や、アクセス権に応じて文書ファイルの機密部分を表示／非表示とすることによりアクセス制限を行う方法が提案されている（例えば、特許文献１および特許文献２）。
また、文書ファイルの機密部分が閲覧可能な状態で印刷された場合に、この印刷用紙の持出しを制限するために、印刷用紙に非接触メモリなどを埋め込み、この印刷用紙の持出しを検知する方法がある。
しかしながら、非接触メモリなどが印刷用紙から切り取られると、この印刷用紙の持出しが検知されず、機密部分が印刷された印刷用紙が外部に持ち出されることになる。
【０００３】
【特許文献１】
特開平６−２１４８６２号公報
【特許文献２】
特開平１１−０２５０７６号公報
【０００４】
【発明が解決しようとする課題】
本発明は、上述した背景からなされたものであり、機密情報が画像形成された画像形成媒体の持出し制限を可能にする画像形成装置、画像形成媒体、機密管理システム、画像形成方法、およびそのプログラムを提供することを目的とする。
【０００５】
【課題を解決するための手段】
［画像形成装置］
上記目的を達成するために、本発明にかかる画像形成装置は、アクセス権が設定された機密部分を含む文書ファイルの画像形成装置であって、画像形成媒体上に画像を形成する像形成手段と、前記像形成手段により文書ファイルの機密部分が形成されるべき領域に、認証データを配置する配置手段とを有する。
【０００６】
好適には、前記配置手段は、前記像形成手段により文書ファイルの機密部分が形成されるべき領域に、前記認証データを提供するデータ提供手段を配置する。
【０００７】
好適には、前記認証データ提供手段は、半導体メモリを有する。
好適には、前記認証データ提供手段は、磁気データを記録する磁性データ記録手段を有する。
【０００８】
好適には、前記配置手段は、機密部分に含まれる文字画像または図形画像と重なる位置に、認証データを配置する。
【０００９】
［画像形成媒体］
また、本発明にかかる画像形成媒体は、アクセス権が設定された機密部分を示す機密画像と、認証データを非接触で提供する少なくとも１つのデータ提供手段とを有し、少なくとも１つの前記データ提供手段が、機密画像が形成された領域に配置されてなる。
【００１０】
好適には、前記データ提供手段は、半導体メモリを有する。
【００１１】
好適には、前記データ提供手段は、磁気データを記録する磁性データ記録手段を有する。
【００１２】
好適には、少なくとも１つの前記データ提供装置が、前記機密画像に含まれる文字画像または図形画像と重畳する位置に配置されてなる。
【００１３】
［機密管理システム］
また、本発明にかかる機密管理システムは、機密情報が形成された画像形成媒体と、この画像形成媒体を検知する検知装置とを含む機密管理システムであって、前記画像形成媒体は、機密情報が形成された領域に、認証データを提供する少なくとも１つのデータ提供手段を有し、前記検知装置は、前記データ提供手段から、認証データを受信する受信手段と、前記受信手段により受信された認証データに基づいて、画像形成媒体に機密情報が形成されているか否かを判定する判定手段とを有する。
【００１４】
［画像形成方法］
また、本発明にかかる画像形成方法は、アクセス権が設定された機密部分を含む文書ファイルの画像形成方法であって、画像形成媒体上に文書ファイルの画像を形成し、文書ファイルの機密部分が形成されるべき領域に、認証データを配置する。
【００１５】
［プログラム］
また、本発明にかかるプログラムは、コンピュータを含む、アクセス権が設定された機密部分を含む文書ファイルの画像形成装置において、画像形成媒体上に文書ファイルの画像を形成するステップと、文書ファイルの機密部分が形成されるべき領域に、認証データを配置するステップとを前記画像形成装置のコンピュータに実行させる。
【００１６】
【発明の実施の形態】
［背景］
まず、本発明の理解を助けるために、その背景を説明する。
従来、印刷する文書ファイルに機密部分（アクセス権設定部分）が含まれる場合に、機密部分の情報漏洩を防止するために、機密部分の印刷を禁止して空白にするか、または、機密部分をベタ塗りのマスク画像で覆うことにより機密部分を秘匿化し、アクセス権が設定されていない部分（非機密部分）のみを視認可能に印刷する方法があった。
しかしながら、文書ファイルをモニタ上で表示するだけではなく、印刷用紙に印刷して確認したい場合もあるが、機密部分が印刷されないのでは不便である。このような場合に、印刷権限を設定して一定の条件下で機密部分の印刷を許可することも考えられる。
ここで問題となるのは、機密部分が印刷された印刷用紙が、アクセス権を持たない閲覧者に見られて機密情報が漏洩することである。そこで、このような機密性の高い印刷物に対しては、入退室管理がされた一定の空間からこの印刷物を持ち出すことを禁止することが有効である。印刷物の持出し管理の有効な手法としては、非接触でデータ通信が可能な通信手段（磁気シートなど）を印刷用紙に付し、入退室口の近傍に設けられた検知ゲートがこの通信手段から信号を受信して印刷用紙の持出しを検知する方法がある。
しかしながら、このような通信手段が印刷用紙から切り取られた場合には、印刷用紙の持出しが検知されず、機密情報が漏洩する可能性がある。
【００１７】
そこで、本実施形態におけるプリンタ装置は、機密部分が印刷された印刷用紙上の領域に、持出し管理等に利用されるデータ提供手段（通信手段）を設けて、データ提供手段の切り取りによる無断持出しを防止する。
【００１８】
図１は、ＩＣチップ３（データ提供手段）が設けられた印刷用紙４２（画像形成媒体）と、持出し検知ゲート７００とからなる機密管理システムの概要を説明する図である。
図１に例示するように、印刷用紙４２には、文書ファイル内のアクセス権が設定されていない非機密部分が印刷された非機密情報表示領域４２２と、アクセス権が設定された機密部分が印刷された機密情報表示領域４２０とが含まれる。
非機密情報表示領域４２２には、図１に例示するように、機密性がない画像（例えば、図１に例示した「技術情報（機密），製品に採用された新技術は、以下の通りです。」）が、誰からも視認可能に印刷される。
また、機密情報表示領域４２０には、操作者が印刷権限を有する場合に、アクセス権が設定された機密部分（例えば、図１に例示した「１．ＣＰＵ部分：・・・・２．メモリ部分：・・・・３．ソフトウェア：・・・・」）が視認可能に印刷される。なお、操作者が印刷権限を有しない場合には、機密情報表示領域４２０に、ベタ塗りのマスク画像が印刷されて、機密部分の内容が秘匿化される。
さらに、印刷用紙４２には、非接触でデータ通信が可能なＩＣチップ３が、機密情報表示領域４２０内に付されている。このＩＣチップ３は、印刷用紙４２の持出しを管理するための持出し管理データ（認証データ）を記録されており、持出し検知ゲート７００とデータ通信を行う。持出し検知ゲート７００（検知装置）は、ＩＣチップ３から持出し管理データを受信するＩＣチップインタフェース（受信手段）と、受信された持出し管理データに基づいて印刷用紙４２に機密部分が印刷されているか否かを判定し警告信号を出力する判定手段とを有し、ＩＣチップ３から持出し管理データを受信して、機密部分が印刷された印刷用紙４２の持出しを検知すると、警告音や警告ランプによる警告信号を出力して、機密部分が印刷された印刷用紙４２の持出しを制限する。
【００１９】
［プリンタ装置１］
図２は、本発明にかかる画像形成方法が適応されるプリンタ装置１のハードウェア構成を、その制御装置２を中心に例示する図である。
図２に示すように、プリンタ装置１は、制御装置２およびプリンタ装置本体１０から構成される。
制御装置２は、ＣＰＵ２０２およびメモリ２０４などを含む制御装置本体２０、通信装置２２、ＨＤＤ・ＣＤ装置などの記録装置２４、並びに、ＬＣＤ表示装置あるいはＣＲＴ表示装置およびキーボード・タッチパネルなどを含むユーザインターフェース装置（ＵＩ装置）２６から構成される。
【００２０】
［プリンタ装置本体１０］
図３は、図２に示したプリンタ装置本体１０のハードウェア構成を例示する図である。
図３に示すように、プリンタ装置本体１０は、用紙トレイ部１２、用紙反転路１３、ゼログラフィなどにより画像を印刷用紙４２（図１）に印刷するプリントエンジン１４、原稿用紙の画像を読み取るスキャナ１６、原稿用紙４０を送る原稿送り装置１８、およびＩＣチップ３（図１）を印刷用紙４２に付す認証データ配置ユニット１９などから構成される。つまり、プリンタ装置１は、一般的な複合機の用紙搬送路上に、認証データ配置ユニット１９が付加されたハードウェア構成を採る。特に、本例の認証データ配置ユニット１９は、定着装置（不図示）の用紙搬送路下流に配設されている。
認証データ配置ユニット１９は、例えば、粘着剤またはステープル針などを用いて、ＩＣチップ３を印刷用紙４２上の所定の位置に付着させる。また、用紙反転路１３を用いて印刷用紙４２の両面に文書ファイルが印刷された場合にも、認証データ配置ユニット１９は、印刷用紙４２の両面または片面の機密部分印刷領域にＩＣチップ３を配置することができる。
なお、制御装置２（図２）は、図３に示すように、実際にはプリンタ装置本体１０の内部に収容される。
【００２１】
［ＩＣチップ３・ＩＣチップＩＦ２８］
図４は、図１に示したＩＣチップ３の構成を示す図である。
図４に示すように、ＩＣチップ３は、１平方ミリメートル以下の微小な半導体チップであり、アンテナ３００、クロック再生回路３２０、メモリ回路３２２、データ送信回路３２４および電源回路３２６から構成される。
電源回路３２６は、アンテナ３００を介して供給される電波信号を整流して、ＩＣチップ３の各構成部分に対して、それらの動作に必要な電力を供給する。クロック再生回路３２０は、アンテナ３００を介してＩＣチップＩＦ２８から供給される電波信号から、クロック信号を再生し、メモリ回路３２２およびデータ送信回路３２４に対して出力する。
メモリ回路３２２は、クロック再生回路３２０から入力されたクロック信号に同期して、記憶した持出し管理データを、データ送信回路３２４に対して出力する。データ送信回路３２４は、クロック再生回路３２０から入力されたクロック信号に同期して、メモリ回路３２２から入力されるデータの値に従って、ＩＣチップＩＦ２８側から供給される電波信号の反射強度を変更する。
このように、メモリ回路３２２が記憶した持出し管理データは、ＩＣチップＩＦ２８からＩＣチップ３に対して送信された電波信号の反射信号の強度を変更することにより、ＩＣチップ３から持出し検知ゲート７００（図１）に対して送信される。
【００２２】
なお、印刷用紙４２のＩＣチップ３は、持出し検知ゲート７００（図１）と通信可能な限りにおいて、アンテナ３００を有さないＩＣチップ３が適用されてもよい。
また、本例のＩＣチップ３は、メモリ３２２において持出し管理データを記録しているが、認証データ配置ユニット１９によりその都度持出し管理データが書き込まれてもよい。
【００２３】
［印刷プログラム５］
図５は、制御装置２（図２，図３）により実行され、本発明にかかる画像形成方法を実現する印刷プログラム５の構成を示す図である。
図５に示すように、印刷プログラム５は、ファイル取得部５００、ＵＩ部５１０、認証部５２０、画像生成部５３０、印刷部５４０および配置制御部５５０（配置手段）から構成される。
印刷プログラム５は、例えば記録媒体２４０（図２）またはネットワークを介して制御装置２に供給され、メモリ２０４にロードされて実行される。
【００２４】
印刷プログラム５において、ファイル取得部５００は、通信装置２２（図２）または記録装置２４（図２）を制御して、機密部分を含む文書ファイルを取得し、画像生成部５３０に対して出力する。また、ファイル取得部５００は、文書ファイルに添付されたアクセス権情報を認証部５２０に対して出力する。ここで、アクセス権情報とは、文書ファイルに含まれる各機密部分について、表示権限または印刷権限等を指定する情報である。
【００２５】
ＵＩ部５１０は、ＵＩ装置２６（図２）を介して、印刷する文書ファイルの指定操作を受け付けて、文書ファイルの指定情報をファイル取得部５００に対して出力する。また、ＵＩ部５１０は、操作者から、パスワードの入力を受け付けて、受け付けられたパスワードを認証部５２０に対して出力する。
【００２６】
認証部５２０は、ファイル取得部５００から入力されたアクセス権情報と、ＵＩ部５１０から入力されたパスワードとに基づいて、印刷が許可される機密部分の範囲、印刷が禁止される機密部分の範囲、およびアクセス権が設定されていない範囲を特定し、これらの範囲を示す情報を画像生成部５３０に対して出力する。例えば、アクセス権情報は、アクセス権が設定された各機密部分と、印刷が許可されるパスワードとを互いに対応付ける情報であり、認証部５２０は、操作者のパスワードに応じて、印刷が許可される機密部分の範囲、印刷が禁止される機密部分の範囲、およびアクセス権が設定されていない範囲を特定する。
【００２７】
画像生成部５３０は、ファイル取得部５００から入力された文書ファイルのうち、印刷が禁止された部分をベタ塗りのマスク画像に置換し、印刷データとして印刷部５３０に対して出力する。また、画像生成部５３０は、印刷が許可された機密部分の範囲を示す情報を、配置制御部５５０に対して出力する。
【００２８】
印刷部５４０は、プリントエンジン１４（図３）を制御して、画像生成部５３０から入力された印刷データを印刷する。すなわち、印刷部５４０は、アクセス権が設定された文書ファイルについて、印刷が許可される機密部分の範囲およびアクセス権が設定されていない範囲の文書ファイルを印刷用紙４２上に視認可能に印刷し、印刷が禁止される機密部分の範囲をマスク画像で秘匿化し、印刷用紙４２に印刷する。
【００２９】
配置制御部５５０は、画像生成部５３０から入力された情報に基づいて、文書ファイル内で印刷が許可された機密部分の範囲を特定し、この機密部分が印刷された領域（印刷用紙４２上）にＩＣチップ３を付すように認証データ配置ユニット１９を制御する。例えば、印刷面の見た目を重視する場合に、配置制御部５５０は、機密部分が印刷された領域の印刷用紙４３の裏面にＩＣチップ３を付すよう制御することが望ましい。
【００３０】
［全体動作］
以下、プリンタ装置１の全体的な動作を説明する。
図６は、プリンタ装置１（印刷プログラム５）の動作（Ｓ１０）を示すフローチャートである。
図６に示すように、ステップ１００（Ｓ１００）において、プリンタ装置１の操作者は、ＵＩ装置２６（図２，図３）に対して、印刷のために、文書ファイルを選択する操作と、パスワードの入力操作を行う。
ＵＩ部５１０（図５）は、この操作を受け入れて、受け入れたデータをファイル取得部５００および認証部５２０に対して出力する。
【００３１】
ステップ１０２（Ｓ１０２）において、ＵＩ装置２６に対して、文書ファイルの選択操作が行われると、ファイル取得部５００は、通信装置２２または記録装置２４を制御して、文書ファイルを取得し、画像生成部５３０に対して出力する。また、ファイル取得部５００は、文書ファイルに添付されたアクセス権情報を認証部５２０に対して出力する。
【００３２】
ステップ１０４（Ｓ１０４）において、認証部５２０は、ＵＩ部５１０から入力されたパスワードと、ファイル取得部５００から入力されたアクセス権情報とに基づいて、各機密部分に対する印刷権限の有無を判定する。
印刷プログラム５は、機密部分に対する印刷権限がある場合に、Ｓ１０６の処理に移行し、これ以外の場合に、Ｓ１０８の処理に移行する。
【００３３】
ステップ１０６（Ｓ１０６）において、画像生成部５３０は、機密部分の内容を示す機密画像の印刷データを生成し、印刷部５４０に対して出力する。また、画像生成部５３０は、機密画像の範囲を示す範囲情報を配置制御部５５０に対して出力する。
一方、ステップ１０８（Ｓ１０８）において、画像生成部５３０は、機密部分と置換するためのマスク画像を生成し、印刷部５４０に対して出力する。すなわち、印刷プログラム５は、印刷権限を有する機密部分についてはこの機密部分の内容を印刷し、印刷権限を有しない機密部分についてはマスク画像に置換して印刷し、この機密部分を秘匿化する。なお、画像生成部５３０は、アクセス権が設定されていない部分については、文書ファイルのデータをそのまま印刷データとして印刷部５４０に対して出力する。
【００３４】
ステップ１１０（Ｓ１１０）において、印刷プログラム５は、全てに機密部分について、印刷権限の有無の判定処理が完了したか否かを判断し、完了した場合には、Ｓ１１２の処理に移行し、これ以外の場合に、Ｓ１０４の処理に戻って判定処理（Ｓ１０４）および印刷データ生成処理（Ｓ１０６）を繰り返す。
【００３５】
ステップ１１２（Ｓ１１２）において、印刷部５４０は、プリントエンジン１４（図３）を制御して、画像生成部５３０から入力された印刷データを印刷用紙４２に印刷させる。
【００３６】
ステップ１１４（Ｓ１１４）において、印刷データが印刷された印刷用紙４２は、定着処理が施された後で、認証データ配置ユニット１９（図３）まで搬送される。
配置制御部５５０は、画像生成部５３０から入力された範囲情報に基づいて、印刷用紙４２上の機密画像の領域を特定し、認証データ配置ユニット１９を制御して、持出し管理データが記録されたＩＣチップ３を機密画像の印刷領域に付着させる。
【００３７】
このように、本実施形態におけるプリンタ装置１は、機密部分が印刷された領域に少なくとも１つのＩＣチップ３を付着させることにより、機密部分の印刷領域と、持出し管理に用いられるＩＣチップ３とを分離させないようにすることができる。特に、プリンタ装置１は、ＩＣチップ３が切り取られた場合に機密部分の内容が視認できない程度の密度でＩＣチップ３を付着させることが望ましい。
【００３８】
［変形例１］
上記実施形態では、持出し管理データの記録・提供手段として、ＩＣチップ３が適用される例を説明したが、これに限定されるものではなく、非接触で信号（持出し管理データ）の発信が可能なものであればよい。例えば、磁気インクなどの磁気データ記録手段を、持出し管理データの記録・提供手段として適用してもよい。
【００３９】
図７は、磁気インクが塗布された印刷用紙４２を例示する図である。
図７に例示するように、印刷用紙４２の機密情報表示領域４２０には、全領域に磁気インクが塗布されている。機密情報表示領域４２０に塗布される磁気インクは、この領域に印刷された機密部分の閲覧を可能にする色であることが望ましい。
このように機密部分の印刷領域に塗布された磁気インクには、持出し管理データが磁気パターンとして記録されており、持出し検知ゲート７００（図１）は、この磁気インクから磁気データを読み取り、印刷用紙４２の持出しを検知する。
【００４０】
このように機密部分の印刷領域に塗布された磁気インクは、例えば、認証データ配置ユニット１９（図３）により塗布される。すなわち、図５に示された配置制御部５５０が、機密部分の印刷範囲に、磁気インクを塗布するよう制御し、認証データ配置ユニット１９が、配置制御部５５０による制御に応じて、機密部分の印刷範囲に磁気インクを塗布し、持出し管理データを書き込む。
このように、本変形例におけるプリンタ装置１は、磁気インクを機密部分の印刷領域に塗布して、持出し管理データを書き込むことにより、機密情報の漏洩を防止することができる。特に、磁気インクの場合は、物理的に剥ぎ取ることが困難であるため好適である。また、無色または極薄い色の磁気インクを適用することにより、機密部分の印刷領域全体に塗布しても印刷内容の閲覧を可能にする。さらに、薄い色の磁気インクが機密部分に塗布される場合に、この磁気インクの色が、この部分の機密性を印刷用紙４２の所持者に認識させることができ、不用意に他者に印刷用紙４２を見せることを防止できる。
【００４１】
［変形例２］
また、機密部分が印刷用紙４２に印刷された場合に、少なくとも１つのＩＣチップ３が機密部分の印刷領域に含まれるよう、印刷用紙４２に複数のＩＣチップ３を所定の間隔で予め付しておいてもよい。特に、本変形例において、印刷用紙４２に付されたＩＣチップ３に持出し管理データが予め記録されている場合に、図３に示した認証データ配置ユニット１９が不要である点で好適である。
図８は、予め複数のＩＣチップ３が付された印刷用紙４２を例示する図である。図８（Ａ）は、文書ファイルが印刷される前の印刷用紙４２を例示し、図８（Ｂ）は、文書ファイルが印刷された後の印刷用紙４２を例示する。
図８（Ａ）に例示するように、印刷用紙４２には、漉き込むなどの方法により、複数のＩＣチップ３がほぼ等間隔で付されている。ＩＣチップ３間の間隔は、機密部分の印刷領域に少なくとも１つのＩＣチップ３が含まれる程度の広さであることが望ましい。
図８（Ｂ）に例示するように、この印刷用紙４２に、機密部分を含む文書ファイルが印刷されると、機密情報表示領域４２０内に少なくとも１つ以上のＩＣチップ３が含まれる。
【００４２】
このように、予め所定の間隔でＩＣチップ３が付された印刷用紙４２を用いて、機密部分を含む文書ファイルを印刷することにより、機密情報が印刷された印刷用紙４２の持出しを管理し、機密情報の漏洩を防止することができる。
また、複数の用紙トレイ１２（図３）に、それぞれのトレイ毎に異なる間隔でＩＣチップ３が付された印刷用紙４２を準備しておき、配置制御部５５０が、用紙トレイ１２を制御して、機密部分の印刷領域の大きさに応じて、印刷用紙４２を選択してもよい。すなわち、配置制御部５５０は、機密部分の印刷領域が大きい場合に、ＩＣチップ３の間隔が広い印刷用紙４２を用いて印刷するよう制御し、機密部分の印刷領域がより小さい場合に、ＩＣチップ３の間隔がより狭い印刷用紙４２を用いて印刷するよう制御する。
また、配置制御部５５０は、プリンタ装置本体１０の用紙搬送手段を制御して、機密部分の印刷領域に少なくとも１つのＩＣチップ３が含まれるように、文書ファイルの印刷位置を調整してもよい。
【００４３】
【発明の効果】
以上説明したように、本発明にかかる画像処理装置によれば、機密情報が画像形成された画像形成媒体の持出し制限を可能にする。
【図面の簡単な説明】
【図１】ＩＣチップ３（データ提供手段）が設けられた印刷用紙４２と、持出し検知ゲート７００とを例示する図である。
【図２】本発明にかかる画像形成方法が適応されるプリンタ装置１のハードウェア構成を、その制御装置２を中心に例示する図である。
【図３】図２に示したプリンタ装置本体１０のハードウェア構成を例示する図である。
【図４】図１に示したＩＣチップ３の構成を示す図である。
【図５】制御装置２（図２，図３）により実行され、本発明にかかる画像形成方法を実現する印刷プログラム５の構成を示す図である。
【図６】プリンタ装置１（印刷プログラム５）の動作（Ｓ１０）を示すフローチャートである。
【図７】第１の変形例として磁気インクが塗布された印刷用紙４２を例示する図である。
【図８】（Ａ）は、第２の変形例として、予め複数のＩＣチップ３が付された印刷用紙４２を例示し、（Ｂ）は、文書ファイルが印刷された印刷用紙４２を例示する図である。
【符号の説明】
１・・・プリンタ装置
１０・・・プリンタ装置本体
１２・・・用紙トレイ部
１４・・・プリントエンジン
１６・・・スキャナ
１８・・・原稿送り装置
１９・・・認証データ配置ユニット
２・・・制御装置
２０・・・制御装置本体
２０２・・・ＣＰＵ
２０４・・・メモリ
２２・・・通信装置
２４・・・記録装置
２４０・・・記録媒体
２６・・・ＵＩ装置
５・・・印刷プログラム
５００・・・ファイル取得部
５１０・・・ＵＩ部
５２０・・・認証部
５３０・・・画像生成部
５４０・・・印刷部
５５０・・・配置制御部
３・・・ＩＣチップ
３００・・・アンテナ
３２０・・・クロック再生回路
３２２・・・メモリ回路
３２４・・・データ送信回路
３２６・・・電源回路
４２・・・印刷用紙
４２０・・・機密画像表示領域
４２２・・・非機密情報表示領域
【図１】
2004284175.tif 000003
【図２】
2004284175.tif 000004
【図３】
2004284175.tif 000005
【図４】
2004284175.tif 000006
【図５】
2004284175.tif 000007
【図６】
2004284175.tif 000008
【図７】
2004284175.tif 000009
【図８】
2004284175.tif 000010